(57)【特許請求の範囲】
【請求項１】
金属屋根板と底板と側壁とが全溶接構造で形成された水道用配水池の屋根板を構成する金属板の熱膨張による変形を吸収するためのエキスパンションを前記屋根板の複数個所に配置するとともに、前記エキスパンションの底部に前記屋根板と別体の、ベローズ状の金属板で構成される伸縮機構を設けたことを特徴とする水道用配水池の金属板屋根の熱膨張による変形音抑制構造。
【請求項２】
前記伸縮機構を構成する金属板が、前記屋根板を構成する金属板と同じ材料とされていることを特徴とする請求項１に記載の水道用配水池の金属板屋根の熱膨張による変形音抑制構造。
【請求項３】
請求項１又は２に記載の伸縮機構が設けられていることを特徴とする水道用配水池の金属板屋根ユニット。
【請求項４】
請求項１又は２に記載の変形音抑制構造を有する金属板屋根を備えたことを特徴とする水道用配水池。
【発明の詳細な説明】
【技術分野】
【０００１】
本発明は、水道用配水池の金属板屋根の熱膨張による変形音抑制構造、水道用配水池の金属板屋根ユニット及び水道用配水池に係り、特に、角形配水池のステンレス鋼板製屋根に用いるのに好適な、水道用配水池の金属板屋根の熱膨張による変形音抑制構造、水道用配水池の金属板屋根ユニット及び水道用配水池に関する。
【背景技術】
【０００２】
貯留水の水質保持を目的として、ステンレス鋼板製の角型配水池が設けられることがある。配水池の気相部に設けられる屋根を構成する金属板には、水道水から発生した塩素ガスの濃縮による厳しい環境に耐えるため、一般的には高耐食性のステンレス薄板が使用される。積載荷重に対抗するため、ロールによる曲げ加工やリブによる補強等を使用した設計が行われるが、底板及び側壁との全溶接構造のため屋根板が拘束状態となり、気温の上昇や日射によって過度に熱膨張すると飛び移り座屈が発生し、この変形によって太鼓の打撃音のような音が発生する。これは、屋根板の熱で膨張した部分が、蒲鉾状の屋根のアーチ形状と逆の方向に変形したことによる発生音と考えられる。
【０００３】
近年、大規模なステンレス鋼板製角形配水池が建設されるようになったが、屋根面積が大きくなることから、屋根板の熱膨張による変形音が無視できなくなってきている。
【０００４】
なお、本願と同様に、熱膨張による伸縮を吸収する技術として、特許文献１や２には、折板構造の屋根板連結機構が記載され、特許文献３には、屋根材を略二分する長いスリットを形成し、このスリット内に屋根に加わる応力を吸収する弾性材を一体的に取り付ける技術が記載されている。
【先行技術文献】
【特許文献】
【０００５】
【特許文献１】特開２００４−１６２４２０号公報
【特許文献２】特開平１０−８２１４２号公報
【特許文献３】特開平８−１９３３８８号公報
【発明の概要】
【発明が解決しようとする課題】
【０００６】
しかしながら、特許文献１や２に記載の技術は、屋根板の接続部に設ける構造であり、構造が複雑であるという問題点を有していた。
【０００７】
一方、特許文献３に記載の技術は、スリット内に弾性材を設ける必要があり、屋根板と同等の耐食性を確保するのが困難であるという問題点を有していた。
【０００８】
本発明は、前記従来の問題点を解消するべくなされたもので、屋根板と同等の耐食性を有する、軽量で且つ低コストの伸縮機構により、水道用配水池の金属板屋根の熱膨張による変形音を抑制することを課題とする。
【課題を解決するための手段】
【０００９】
本発明は、金属屋根板と底板と側壁とが全溶接構造で形成された水道用配水池の屋根板を構成する金属板の熱膨張による変形を吸収するためのエキスパンションを前記屋根板の複数個所に配置するとともに、前記エキスパンションの底部に前記屋根板と別体の、ベローズ状の金属板で構成される伸縮機構を設けたことにより、前記課題を解決したものである。
【００１１】
ここで、前記伸縮機構を構成する金属板を、前記屋根板を構成する金属板と同じ材料とすることができる。
【００１４】
本発明は、又、前記の伸縮機構が設けられていることを特徴とする水道用配水池の金属板屋根ユニットを提供するものである。
【００１５】
本発明は、又、前記の変形音抑制構造を有する金属板屋根を備えたことを特徴とする水道用配水池を提供するものである。
【発明の効果】
【００１６】
本発明によれば、金属板をベローズ状にプレス加工した伸縮機構が蛇腹状に変形するので、熱膨張による変形を吸収し、飛び移り座屈の発生を抑制して、屋根板の変形による音の発生を軽減させることができる。又、伸縮機構には金属板を用いたので、屋根板と同等の耐食性を持たせることができ、対塩素性が要求される水道用配水池に使用できる。更に、伸縮機構は薄板での設計が可能であることから、剛性を上げて変形を防止する構造より、軽量で且つ低コストでの変形音軽減対策が可能である
【図面の簡単な説明】
【００１７】
【図１】本発明が適用される配水池の全体構成を示す平面図
【図２】同じく、要部を拡大して示す立面図及び断面図
【図３】同じく、屋根板全体の斜視図
【図４】本発明の第１実施形態の構成を示す、屋根板の左半分を示す斜視図
【図５】同じく、屋根板の一部の平面図
【図６】図５のVI−VI線に沿う横断面図
【図７】本発明の第２実施形態の要部構成を示す横断面図
【図８】本発明の第３実施形態の要部構成を示す横断面図
【発明を実施するための形態】
【００１８】
以下、図面を参照して、本発明の実施形態を詳細に説明する。
【００１９】
本発明が適用される配水池の全体構成の平面図を図１に、同じく立面図及び断面図を図２に、同じく屋根板全体の斜視図を図３に示す。
【００２０】
本発明の対象となる配水池は、図１に示すような長方形を有し、図２に示す如く、底板１０及び上部１２Ｕと下部１２Ｌでなる側壁１２に対して、例えばアーチ状の屋根板１４が溶接で接合されている。図において、１６は屋根支柱、１８は内部引張材である。
【００２１】
ここで、液相部となる前記底板１０及び側壁下部１２Ｌは、例えばＳＵＳ３１６又はＳＵＳ３０４ステンレス鋼板製とされ、塩素ガスの濃縮による厳しい環境に耐える必要がある気相部となる屋根板１４と側壁上部１２Ｕは、例えばＳＵＳ３２９Ｊ４Ｌステンレス鋼板製とされている。
【００２２】
本発明の第１実施形態は、図４に屋根板の左半分を示す如く、前記屋根板１４間に設けたエキスパンション１４Ｅの部分に、図５（平面図）及び図６（図５のVI−VI線に沿う横断面図）に示す如く、屋根板１４と同じステンレス鋼板を略Ｕ字形状にプレス加工した伸縮機構２６を設けた金属板屋根ユニット２２を配設したものである。図において、２４は補強用のリブ、３０は溶接位置である。
【００２３】
前記伸縮機構２６は、配水池に収容される水道水に対する耐食性を確保するため、屋根板と同じ高耐食鋼を使用することで、屋根板と同等の耐食性を有するようにされている。
【００２４】
この構造により、屋根板１４の熱膨張に対して伸縮機構２６が蛇腹状に変形するため、飛び移り座屈の発生を抑制することで、屋根板の変形による音の発生を軽減させることができる。
【００２５】
この伸縮機構２６は、例えば約１０ｍ毎に入れることができる。
【００２６】
本実施形態においては、金属板屋根ユニット２２の工場製作時に伸縮機構２６が挿入される。従って、現地据付工事時に、金属板屋根ユニット２２同士を溶接位置３０で溶接することにより、従来の屋根と同様に施工が可能である。
【００２７】
工場製作時においても、従来の製作方法に対して、屋根部材に伸縮機構２６を溶接にて接合する工程が加わるのみで、特殊な工法や機械等を用いることなく伸縮機構２６を挿入することができる。
【００２８】
本実施形態においては、伸縮機構２６が単純なＵ字形状とされていたので、製造が容易であり、板の数も少なくてよい。
【００２９】
なお、図７に示す第２実施形態のように、オーム（Ω）形状としてもよい。オーム形状とした場合、屋根板１４間に設けたエキスパンション１４Ｅの底部に発生する応力集中を解消することができるのでより好ましい。又、前記伸縮機構を、金属板屋根のエキスパンション底部に配設することができる。
【００３０】
あるいは、図８に示す第３実施形態のように、複数（図８では２つ）並べてもよい。
【００３１】
前記実施形態においては、本発明が長方形の角形配水池屋根に適用されていたが、配水池の形状は長方形に限定されず、正方形や六角形等、他の形状であってもよい。又、金属板の材質もステンレスに限定されない。
【符号の説明】
【００３３】
１０…底板
１２…側壁
１４…屋根板
１４Ｅ…エキスパンション
２２…金属板屋根ユニット
２６…伸縮機構
３０…溶接位置
【図１】
0005919754.tif 000002
【図２】
0005919754.tif 000003
【図３】
0005919754.tif 000004
【図４】
0005919754.tif 000005
【図５】
0005919754.tif 000006
【図６】
0005919754.tif 000007
【図７】
0005919754.tif 000008
【図８】
0005919754.tif 000009